(57)【要約】【課題】コネクタ間の安定した高信頼性接続を実現でき、組立作業が容易である接続箱の提供。【解決手段】接続箱は、互いに絶縁された複数の保持部３を内部に収容するハウジング１と、第１共通端子及び少なくとも１個の第１分岐端子42を有する第１接触部材４と、第２共通端子51及び少なくとも１個の第２分岐端子52を有する第２接触部材５と、各々が第３共通端子61及び第３分岐端子62を有する少なくとも１個の第３接触部材６とを具備する。第１、第２及び第３の接触部材は、保持部にそれぞれ保持される。第１、第２及び第３の共通端子が１共通線に配列される結果、共通線の少なくとも３個の共通端子が第１コネクタ10の少なくとも３個の端子にそれぞれ電気接続される。第１分岐端子の１個、第２分岐端子の１個及び第３分岐端子の１個が１分岐線に配列される結果、分岐線の３個の分岐端子が第２コネクタ８の３個の端子にそれぞれ電気接続される。【選択図】図２
0003155652.tif 000002
【実用新案登録請求の範囲】
【請求項１】
第１コネクタを第２コネクタに電気接続するための接続箱であって、
互いに絶縁された複数の保持部を内部に収容するハウジングと、
第１共通端子及び少なくとも１個の第１分岐端子を有する第１接触部材と、
第２共通端子及び少なくとも１個の第２分岐端子を有する第２接触部材と、
各々が第３共通端子及び第３分岐端子を有する少なくとも１個の第３接触部材とを具備し、
前記第１接触部材、前記第２接触部材及び前記第３接触部材は、前記保持部にそれぞれ保持され、
前記第１共通端子、前記第２共通端子及び前記少なくとも１個の第３共通端子が１共通線に配列される結果、該共通線の少なくとも３個の前記共通端子が前記第１コネクタの少なくとも３個の端子にそれぞれ電気接続され、
前記第１分岐端子の１個、前記第２分岐端子の１個及び前記第３分岐端子の１個が１分岐線に配列される結果、該分岐線の３個の前記分岐端子が前記第２コネクタの３個の端子にそれぞれ電気接続されることを特徴とする接続箱。
【請求項２】
前記共通線は第１方向に配置され、
前記分岐線は、前記第１方向と直交する第２方向に配置されることを特徴とする請求項１記載の接続箱。
【請求項３】
前記第１接触部材は、前記第２方向に沿って配置された第１共通部と、該第１共通部の一端から前記第１方向に沿って延びる第１分岐部とをさらに具備し、
前記第１共通端子は、前記第１共通部から前記第１方向及び前記第２方向に直交する第３方向に沿って延びており、
前記少なくとも１個の第１分岐端子は、前記第１分岐部から前記第３方向に沿って延びており、
前記第２接触部材は、前記第２方向に沿って配置された第２共通部と、該第２共通部の一端から前記第１方向に沿って延びる第２分岐部とをさらに具備し、
前記第２共通端子は、前記第２共通部から前記第３方向に沿って延びており、
前記少なくとも１個の第２分岐端子は、前記第１分岐部から前記第３方向に沿って延びており、
前記第３接触部材は、前記第２方向に沿って配置された第３分岐部をさらに具備し、
前記第３共通端子及び前記第３分岐端子は、前記第３分岐部から前記第３方向に沿って延びることを特徴とする請求項２記載の接続箱。
【請求項４】
前記保持部は、前記接続箱の第１側面から第２側面に延びるスルーホールとなるよう構成されており、
前記第１接触部材、前記第２接触部材及び前記第３接触部材の各端子は、前記接続箱の前記第１側面から前記スルーホール内に挿入され、この結果、前記第１コネクタ及び前記第２コネクタの前記端子は、前記接続箱の前記第２側面で前記接触部材の対応する端子にそれぞれ電気接続されることを特徴とする請求項３記載の接続箱。
【請求項５】
前記端子には、該端子が前記ハウジング内に挿入される際に固定効果が得られるよう、前記ハウジングの内壁に食い込むよう構成された突起が形成されていることを特徴とする請求項４記載の接続箱。
【請求項６】
前記接続箱は、前記ハウジングに設けられた取付部をさらに具備することを特徴とする請求項４記載の接続箱。
【請求項７】
前記接続箱は、該接続箱の前記第１側面に設けられた封止カバーをさらに有することを特徴とする請求項１ないし６のうちいずれか１項記載の接続箱。
【請求項８】
前記封止カバーは、前記第１接触部材、前記第２接触部材及び前記第３接触部材の間の取付関係を指示するパターンを具備することを特徴とする請求項７記載の接続箱。
【請求項９】
前記第１接触部材の前記第１共通端子及び前記少なくとも１個の第１分岐端子は、電源コードと接続するための端子となるよう構成され、
前記第２接触部材の前記第２共通端子及び前記少なくとも１個の第２分岐端子は、接地線と接続するための端子となるよう構成され、
前記第３接触部材の前記第３共通端子及び前記第３分岐端子は、信号線と接続するための端子となるよう構成されていることを特徴とする請求項１ないし６のうちいずれか１項記載の接続箱。
【請求項１０】
前記第１分岐端子、前記第２分岐端子及び前記第３分岐端子の各々の数は８個であることを特徴とする請求項１ないし６のうちいずれか１項記載の接続箱。
【考案の詳細な説明】
【技術分野】
【０００１】
本考案は、接続箱に関し、特に複数の電気コネクタを切り換えるための接続箱に関する。
【背景技術】
【０００２】
信号伝送中の電気デバイス内で、電源コード、接地線及び信号線の切換えを実行することが多いことは、従来技術で知られている。動作における便宜のために、センサ等のデバイスの電源コード、接地線及び信号線は単一のコネクタ内で接合（splice）されるのが通常であり、その後、このコネクタは、印刷回路基板等の中間媒体により別のコネクタに電気的に接続される。最後に、他のコネクタの電源コード、接地線及び信号線は、デバイスからの信号が処理される（中央制御部等の）所望の送り先に至る。
【０００３】
図１は、互いに電気接続された２個のコネクタを切り換えるための従来の構成を示す概略図である。図１に示されるように、コネクタ１００及びコネクタ３００は、印刷回路基板（ＰＣＢ）２００により接続され、コネクタ１００及びコネクタ３００間で信号を伝送する。コネクタ１００は、各々が複数の端子を有する２個の端子ブロック１０１，１０２を有する。コネクタ３００は、各々が複数の端子を有する２個の回路ブロックすなわち端子ブロック３０１，３０２を有する。そして、ＰＣＢ２００は、ＰＣＢ２００内に複数のリード線を具備する。コネクタ１００及びコネクタ３００が両端でそれぞれＰＣＢ２００に接続されると、端子ブロック１０１，３０１の端子は、端子ブロック１０２，３０２の端子と共に、ＰＣＢ２００の複数のリード線によりそれぞれ接続される。
【先行技術文献】
【特許文献】
【０００４】
【特許文献１】特開２００４−８０９１８号公報
【特許文献２】特開２００１−１４５２３１号公報
【特許文献３】実開平４−７２５５９号公報
【考案の概要】
【考案が解決しようとする課題】
【０００５】
コネクタ間の電気接続が印刷回路基板により行われるこの構造において、ＰＣＢ２００のリード線は、コネクタ１００及びコネクタ３００の端子にそれぞれ溶接されることを要する。このため、この従来技術は、顧客側の機器が不要に占領することの他に、製造コストが高い、作業に熟練を要するという不利な点があった。さらに、リード線及び端子間の溶接部の信頼性及び安定性が劣化するという不利な点もある。
【０００６】
本考案は、上述の不利な点の少なくとも一面を克服又は軽減するためになされたものである。従って、本考案は、コネクタ間の安定した信頼性の高い接続を実現することができ、接続箱の組立作業が容易である接続箱を提供することを目的とする。
【課題を解決するための手段】
【０００７】
本考案の一側面によれば、第１コネクタを第２コネクタに電気接続するための接続箱が提供される。一実施形態において、接続箱は、互いに絶縁された複数の保持部を内部に収容するハウジングと、第１共通端子及び少なくとも１個の第１分岐端子を有する第１接触部材と、第２共通端子及び少なくとも１個の第２分岐端子を有する第２接触部材と、各々が第３共通端子及び第３分岐端子を有する少なくとも１個の第３接触部材とを具備し、第１接触部材、第２接触部材及び第３接触部材は、保持部にそれぞれ保持され、第１共通端子、第２共通端子及び少なくとも１個の第３共通端子が１共通線に配列される結果、共通線の少なくとも３個の共通端子が第１コネクタの少なくとも３個の端子にそれぞれ電気接続され、第１分岐端子の１個、第２分岐端子の１個及び第３分岐端子の１個が１分岐線に配列される結果、分岐線の３個の分岐端子が第２コネクタの３個の端子にそれぞれ電気接続される。
【０００８】
一実施形態において、共通線は第１方向に配置され、分岐線は第１方向と直交する第２方向に配置される。
【０００９】
本考案の別の一実施形態によれば、第１接触部材は、第２方向に沿って配置された第１共通部と、第１共通部の一端から第１方向に沿って延びる第１分岐部とをさらに具備する。第１共通端子は、第１共通部から第１方向及び第２方向に直交する第３方向に沿って延びる。少なくとも１個の第１分岐端子は、第１分岐部から第３方向に沿って延びる。第２接触部材は、第２方向に沿って配置された第２共通部と、共通部の一端から第１方向に沿って延びる第２分岐部とをさらに具備する。第２共通端子は、第２共通部から第３方向に沿って延びる。少なくとも１個の第２分岐端子は、第１分岐部から第３方向に沿って延びる。第３接触部材は、第２方向に沿って配置された第３分岐部をさらに具備する。第３共通端子及び第３分岐端子は、第３分岐部から第３方向に沿って延びる。
【００１０】
特に、保持部は、接続箱の第１側面から第２側面に延びるスルーホールである。第１接触部材、第２接触部材及び第３接触部材の各端子は接続箱の第１側面からスルーホール内に挿入されるので、第１コネクタ及び第２コネクタの端子は、接続箱の第２側面で接触部材の対応する端子にそれぞれ電気接続される。
【００１１】
好適には、端子には、端子がハウジングに挿入される際にハウジングの内壁に食い込むよう構成された突起が形成されるので、端子はハウジングに固定される。
【００１２】
好適な一実施形態において、ハウジングに取付部が設けられる。
【００１３】
別の一実施形態において、接続箱は、接続箱の第１側面に封止カバーをさらに有する。
【００１４】
さらに別の実施形態において、封止カバーは、第１接触部材、第２接触部材及び第３接触部材の間の取付関係を指示するパターンを具備する。
【００１５】
具体的な一実施形態において、第１接触部材の第１共通端子及び少なくとも１個の第１分岐端子は、電源コードと接続するための端子となるよう構成されている。第２接触部材の第２共通端子及び少なくとも１個の第２分岐端子は、接地線と接続するための端子となるよう構成されている。第３接触部材の第３共通端子及び第３分岐端子は、信号線と接続するための端子となるよう構成されている。
【００１６】
好適な一実施形態において、第１分岐端子、第２分岐端子及び第３分岐端子の各々の数は８個である。
【００１７】
上述したことから明白であるように、本考案の接続箱は、少なくとも２タイプのコネクタの間の電気接続を容易にし、顧客における組立工程を簡単にする。その一方で、溶接作業を要しないので、溶接作業に関連する組立コストは大きく低減される。さらに、コネクタ間の接続の信頼性及び性能は大きく改善される。また、本考案では接続のために特殊な印刷回路基板を採用していないので、特殊な印刷回路基板のための高いコストを回避することができる。さらに、共通線及び各分岐線は、製品の互換性を強化するよう、入力ポート及び出力ポートとして使用される標準的インタフェースを有してもよい。
【図面の簡単な説明】
【００１８】
【図１】互いに電気接続された２個のコネクタを切り換えるための従来の接続構成を示す概略図である。
【図２】接続箱に接続される２個のコネクタを示す、本考案の好適な一実施形態に従った接続箱の分解斜視図である。
【図３】封止カバーが開いたときの接続箱の第１側面を示す、本考案の好適な実施形態に従った接続箱の斜視図である。
【図４】本考案の好適な実施形態に従った接続箱の封止カバーを示す平面図である。
【図５】２個のコネクタが挿入された状態を示す、本考案の好適な実施形態に従った接続箱の第２側面の斜視図である。
【図６】本考案の好適な実施形態に従った接続箱の第２側面の平面図である。
【図７】本考案の好適な実施形態に従った接続箱に第１コネクタ及び第２コネクタが接続しようとしている状態を示し、本考案の好適な実施形態に従った接続状態にある接続箱の回路を併せて示した斜視図である。
【考案を実施するための形態】
【００１９】
以下、添付図面を参照して本考案の典型的な実施形態を詳細に説明する。ここで、同様の要素には同様の参照符号が付される。しかし、本考案は、異なる形態で実施することができ、本明細書で述べられた実施形態に限定するものとして解釈すべきではない。むしろ、これらの実施形態は、本考案の開示が完全且つ徹底的であり、当業者に本考案の開示のコンセプトを十分に伝えるように提供されたものである。
【００２０】
図２ないし図７は、本考案に従った接続箱の好適な一実施形態を示す。図２を参照すると、第１コネクタ１０を第２コネクタ８に電気接続するための接続箱が提供される。この接続箱は、ほぼ矩形状を有するハウジング１、第１接触部材４、第２接触部材５及び少なくとも１個の第３接触部材６を具備する。図２に示されるように、他から絶縁された複数の保持部３は、ハウジング１内に収容されている。第１接触部材４は、第１共通端子４１及び少なくとも１個の第１分岐端子４２を具備する。第２接触部材５は、第２共通端子５１及び少なくとも１個の第２分岐端子５２を具備する。
【００２１】
各第３接触部材６は、第３共通端子６１及び少なくとも１個の第３分岐端子６２を具備する。さらに、第１接触部材４、第２接触部材５及び少なくとも１個の第３接触部材６は、保持部にそれぞれ保持されている。図３、図４及び図７に示されるように、さらに、第１接触部材４、第２接触部材５及び少なくとも１個の第３接触部材６は共通線７に配列されているので、共通線７の少なくとも３個の共通端子４１，５１，６１は、第１コネクタ１０の少なくとも３個の端子にそれぞれ電気接続される。他方、１個の第１分岐端子４１、１個の第２分岐端子５１及び１個の第３分岐端子６１は分岐線９に配列されているので、分岐線９の３個の分岐端子４２，５２，６２は、第２コネクタ８の３個の端子にそれぞれ電気接続される。
【００２２】
本考案の例示された実施形態によれば、共通端子４１，５１，６１が配列された共通線７は、第１方向、すなわち接続箱の縦方向に配置されている。分岐端子４２，５２，６２が配列された分岐線９は、第２方向、すなわち第１方向と直交する接続箱の高さ方向に配置されている。
【００２３】
さらに、図２に示されるように、第１接触部材４は、第２方向に沿って配置された第１共通部４３、及びこの第１共通部４３の一端から第１方向に沿って延びる第１分岐部４４をさらに具備する。第１共通部４３及び第１分岐部４４は、第１接触部材４の本体内に構成されている。第１共通端子４１は、第１共通部４３から第１方向及び第２方向の双方に垂直である第３方向、すなわち接続箱の奥行方向に沿って延びている。少なくとも１個の第１分岐端子４２は、第１分岐部４４から第３方向に沿って延びている。
【００２４】
図２に示されるように、第２接触部材５及び第１接触部材４は同じ構造を有する。より具体的には、第２接触部材５は、第２方向に沿って配置された第２共通部５３、及びこの第２共通部５３の一端から第１方向に沿って延びる第２分岐部５４を具備する。そして、第２共通端子５１は第２共通部５３から第３方向に沿って延びており、少なくとも１個の第２分岐端子５２は第１分岐部５４から第３方向に沿って延びている。第１接触部材４及び第２接触部材５は、銅等の良好な導電性を有する金属材料製であり、曲げ加工により湾曲した櫛状構造を有することができることが理解されよう。
【００２５】
第３接触部材６は、第２方向に沿って配置された第３分岐部６３を具備する。また、第３分岐部６３は、第３接触部材６の本体として供することもできる。第３共通端子６１及び第３分岐端子６２は、第３分岐部６３から第３方向に沿って延びている。第３接触部材６は、銅等の良好な導電性を有する金属材料製でもよいことが理解されよう。
【００２６】
第１分岐端子４２、第２分岐端子５２及び第３接触部材６の数は８個である。しかし、本考案はこの数に限定せず、第１分岐端子４２、第２分岐端子５２及び第３接触部材６の数は、例えば４〜１０等の任意の適当な整数にすることができる。また、この数がいくつであれ、第１分岐端子４２、第２分岐端子５２及び第３接触部材６の数は同じにすべきであることが理解されよう。通常、共通線７の全端子の数は、第３接触部材６の数と同様に一般的に３より大きい数であるのに対し、分岐線９の全端子の数は３である。従って、共通線７は接続箱の長手方向に配置されるのに対し、高さ方向に沿った長さは長手方向に沿った長さよりも比較的短いので、分岐線９は高さ方向に配置されている。
【００２７】
図２、図３及び図５に示されるように、保持部３は、互いに絶縁され、前面等の第１側面から接続箱の背面等の第２側面に延びる複数のスルーホールとなるよう構成されている。第１接触部材４、第２接触部材５及び第３接触部材６の端子は、図６に示されるように、接続箱の第１側面から第２側面まで複数のスルーホール内に挿入される。このため、第１コネクタ８及び第２コネクタ１０の端子は、接続箱の第２側面で、これら第１接触部材４、第２接触部材５及び第３接触部材６の対応する端子に電気接続されている。その一方で、第１接触部材４の第１共通部４３及び第１分岐部４４、第２接触部材５の第２共通部５３及び第２分岐部５４、及び第３接触部材６の第３分岐部６３は、図３に示されるように、第１側面で露出する。
【００２８】
本考案の例示された実施形態によれば、第１接触部材４の第１共通端子４１及び少なくとも１個の第１分岐端子４２は、電源コードと接続するための端子となるよう構成されている。第２接触部材５の第２共通端子５１及び少なくとも１個の第２分岐端子５２は、接地線と接続するための端子となるよう構成されている。第３接触部材６の第３共通端子６１及び第３分岐端子６２は、信号線と接続するための端子となるよう構成されている。このように、図２ないし図７に示される本考案の好適な実施形態によれば、接続箱の分岐線９は、各々が３個の端子、すなわち電源端子、接地端子及び信号端子を有する８個の第２コネクタ８に接続することができる。そして、接続箱の共通線７は、１０個の端子、すなわち１個の電源端子、１個の接地端子及び８個の信号端子を有する８個の第１コネクタ１０に接続することができる。
【００２９】
本考案の別の好適な実施形態によれば、端子には突起が形成される。この突起は、端子がハウジング内に挿入される際に固定効果が得られるよう、ハウジングの内壁に食い込むよう構成されている。挿入された端子は突起よりスルーホール内で固定されるので、全ての接触部材はスルーホール内で容易には移動しない。ハウジング１は、接続箱がケース又は壁に仮設置された取付フレームに取り付けられる取付部１２を具備する。図３に示される封止カバー１３は、接続箱の第１側面を封止するよう接続箱の第１側面に設けられる。この封止カバー１３は、第１接続部材、第２接続部材及び第３接続部材の電気的な接続関係を示すようにこれら接続部材の取付関係を指示するパターンを具備する。さらに、これら端子を表す指示ランプを採用してもよい。例えば、１個の端子が一旦電気接続されると、対応する指示ランプが点灯する。
【００３０】
本考案の好適な実施形態によれば、図７に示されるように接続箱が使用される。第２コネクタ８は、異なる動作パラメータを検知するために８個のセンサがある現場でセンサ１１に接続される。センサ１１の電源コード、接地線及び信号線は、第２コネクタ８にそれぞれ接続される。８個の第２コネクタ８は接続箱の分岐線９にそれぞれ挿入されるので、センサ１１の電源コード、接地線及び信号線は、第１分岐端子４１、第２分岐端子５１及び第３分岐端子６１にそれぞれ電気接続される。他方、第１コネクタ１０は接続箱の共通線７に挿入される。この結果、８個の第２コネクタ８の電源端子は第１コネクタ１０の電源端子に共通接続され、８個の第２コネクタ８の接地端子は第１コネクタ１０の接地端子に共通接続され、８個の第２コネクタ８の信号端子は第１コネクタ１０の８個の信号端子にそれぞれ接続される。このため、８個のセンサ１１は中央制御部１５に接続される。センサ１１は、中央制御部１５の電源により電力が供給される。センサ１１からの検知信号は、中央制御部１５に転送される。
【００３１】
上述したことから明白であるように、本考案の接続箱は、少なくとも２種類のコネクタ間の電気接続を容易にし、顧客側での組立工程を簡単にし、溶接作業を要しないので人件費を低減する。また、本考案では接続のために特殊な印刷回路基板を採用していないので、特殊な印刷回路基板のための高いコストを回避することができる。加えて、共通線及び各分岐線は、製品の互換性を強化するよう、入力ポート及び出力ポートとして使用される標準的インタフェースを有してもよい。
【００３２】
いくつかの典型的な実施形態を示し且つ説明したが、当業者であれば、登録請求の範囲に定義された範囲及びその等価物である本開示の原理及び真髄から逸脱することなく、これらの実施形態に種々の変更、変形を加えてもよいことを理解するであろう。
【符号の説明】
【００３３】
１    ハウジング
３    保持部
４    第１接触部材
４１  第１共通端子
４２  第１分岐端子
４３  第１共通部
４４  第１分岐部
５    第２接触部材
５１  第２共通端子
５２  第２分岐端子
５３  第２共通部
５４  第２分岐部
６    第３接触部材
６１  第３共通端子
６２  第３分岐端子
６３  第３分岐部
７    共通線
８    第２コネクタ
９    分岐線
１０  第１コネクタ
１２  取付部
１３  封止カバー
【図１】
0003155652.tif 000003
【図２】
0003155652.tif 000004
【図３】
0003155652.tif 000005
【図４】
0003155652.tif 000006
【図５】
0003155652.tif 000007
【図６】
0003155652.tif 000008
【図７】
0003155652.tif 000009